(57)【特許請求の範囲】
【請求項１】
液体のための輸送および貯蔵用容器のためのパレット状基部フレームであって、
閉じられ得る取入栓と、取出継ぎ手に接続するための排出栓とを持つ、プラスチックで作られた内側容器と、
金属グリッドまたはシートからなる外側筐体と
を備え、
前記基部フレームは、前記内側容器を支持する平坦部と、脚フレーム上に取り付けられた角部脚および中央脚とを備え、
前記基部フレームの前記平坦部は、前記脚フレームに取り付けられ、
前記角部脚は、前部壁および前記前部壁の中心軸の横方向に形成された部分体を持つ角部脚本体を備え、
前記部分体は、前記角部脚を前記平坦部に接続するための前記前部壁の前記円周リム上に形成された上部支持表面と、前記角部脚を前記脚フレームに接続するための接続領域を持つ下部支持表面とをそれぞれ備え、
前記少なくとも１つの部分体（３６，３７）の前記下部支持表面は、前記前部壁（２６）の前記円周リム（２８）と前記接続領域との間に配置されたストップ体を有し、前記ストップ体は、前記円周リムからのその距離によって、輸送および貯蔵容器（１０）の外側筐体（１８）上で前記基部フレームを支持するための支持リム（５２）を規定する
ことを特徴とする基部フレーム。
【請求項２】
前記ストップ体は、下部支持表面のリムウェブ部の部分的な領域を開いて曲げることによって形成されるストップストラップ（５０，５１）として形成される
ことを特徴とする請求項１に記載の基部フレーム。
【請求項３】
前記接続領域は、前記ストップストラップ（５０，５１）によって前記支持リム（５２）から分離される接続リム（４８）によって形成される
ことを特徴とする請求項２に記載の基部フレーム。
【請求項４】
部分体（３６，３７）の両方は、前記下部支持表面上に配置されたストップ体を備え、
前記ストップ体は、前記前部壁（２６）の前記中心軸（４２）から距離を置いてそれぞれ配置される
ことを特徴とする請求項１〜３のいずれか１項に記載の基部フレーム。
【請求項５】
閉じられ得る取入栓（１３）および取出継ぎ手（１７）に接続するための排出栓（１５）を持つプラスチックでできた内側容器（１１）と、金属グリッドまたはシートからなる外側筐体（１８）とを備える液体のための輸送および貯蔵用容器（１０）であって、
前記内側容器および前記外側筐体は、請求項１〜４のいずれか１項に記載のパレット状基部フレーム（２１）の平坦部（２２）上に配置されている
ことを特徴とする輸送および貯蔵用容器。
【発明の詳細な説明】
【技術分野】
【０００１】
本発明は、液体のための特に輸送および貯蔵用容器のためのパレット状基部フレームであって、容器は、閉じられ得る取入栓と、取出継ぎ手に接続するための排出栓とを持つ、プラスチックで作られた内側容器と、金属グリッドまたはシートからなる外側筐体とを備え、基部フレームは、内側容器を支持する平坦部と、脚フレーム上に取り付けられた角部脚および中央脚とを備え、基部フレームの平坦部は、脚フレームに取り付けられ、角部脚は、壁および前部壁の中心軸の横方向に形成された部分体を持つ角部脚本体を備え、部分体は、角部脚を平坦部に接続するための前部壁の円周リム上に形成された上部支持表面と、角部脚を脚フレームに接続するための接続領域を持つ下部支持表面とをそれぞれ備える。
【背景技術】
【０００２】
冒頭で述べられた種類のパレット状の基部フレームは、例えば特許文献１から知られている。知られている基部フレームは、中心軸の領域においてつながるように構成された２つの部分体を持つ角部脚本体を備える基部フレームのフレーム角部に位置する角部脚を備える。この部分体は、前部壁の上部リム上と、前部壁の下部リム上とにそれぞれ、前部壁に対して実質的に直角に配置されている上部支持表面および下部支持表面を備える。上部支持表面は、基部フレームの平坦部に接続するために用いられ、下部支持表面は、基部フレームの脚フレームに接続するために用いられる。
【０００３】
冒頭で述べられた種類の輸送および貯蔵用容器は、保管時にはスタックされた状態でしばしば置かれ、このとき少なくとも２つの輸送および貯蔵用容器は互いに重ねられている。このような場合、角部および中心脚の下部支持表面は、上側輸送および貯蔵用容器を、下側輸送および貯蔵用容器の外側筐体の上部リム上で支持する支持表面（supporting bearing surface）として働く。下部支持表面の実質的に平坦な形状のために、上側輸送および貯蔵用容器の基部フレームの脚フレームおよび下側輸送および貯蔵用容器の外側筐体の上部リムは、共通な水平平面内で延びる。
【先行技術文献】
【特許文献】
【０００４】
【特許文献１】独国実用新案出願公開第２０２  １７  ８５６号明細書
【発明の概要】
【発明が解決しようとする課題】
【０００５】
上側輸送および貯蔵用容器の脚フレームおよび下側輸送および貯蔵用容器の上部リムは、それらの大きさについて、積み重ねられた構成のときに、脚フレームが上部リムによって規定される特定の境界線内に位置するよう、互いに一致するよう構成されている。これはスタック構成において、上側容器を下側容器に対してある種、相対的に位置付けすることにつながる。避けることのできない製造公差があるので、スタック構成に配置されたときに上側容器の脚フレームが下側容器の上部リムの内部領域内に常に嵌められることを確実にするために、明確に規定されていない水平距離が、上側容器の上部リムと下側容器の脚フレームとの間に設けられる。この距離のために、共通の鉛直軸上で重ねられた容器の重心の、多少なりとも正確な位置付けは、もしフォークリフトトラックまたは同様の装置を操作する人が適切な注意を払った場合だけ実際上、可能になる。適切に対応および注意して積み重ねを行わない場合には、上側容器の重心から多少大きく水平方向へ変位し、鉛直に作用する容器の荷重に加えて、容器を横切る向きの軸について傾斜モーメント（tilting moment）が発生する。この傾斜モーメントは、特にもし容器のスタックが不均一な土台や傾斜平面の上に置かれているなら、極端な場合は、積み重ねられた構成が不安定になってスタックの安全を脅かすことにつながる。
【０００６】
もちろん脚フレームおよび上部リムの製造公差のためのそのような狭い制限を規定することによって、脚フレームおよび上部リムの間の設定された最短距離のために、上側容器の重心に対する上側容器の重心からの水平方向の変位が非常に小さくなるようにすることも可能ではある。しかしその一方で、積み重ねられた構成を形成するとき、または積み重ねられた構成を分解するときには、リスクが増大し、過度に小さい製造公差のせいで、上側容器の脚フレームおよび下側容器の上部リムが互いに対してずれて（引っかかって）、それにより上側容器が落下し損傷することにつながり得る危険な状態になる。
【課題を解決するための手段】
【０００７】
したがって本発明は、液体のための輸送および貯蔵用容器のためのパレット状基部フレームを提案する目的に基づいており、本発明によれば、積み重ねられた構成の安定性の欠如による容器の故障に対してより高まった安全を確保し、よって危険物質の輸送および貯蔵に特に適した、液体のための輸送および貯蔵用容器の提供が可能になる。
【０００８】
この目的は、請求項１の特徴を有する本発明による基部フレームによって達成される。
【０００９】
本発明による基部フレームを用いると、少なくとも１つの部分体の下部支持表面が、前部壁の円周リム（circumferential rim）と支持表面の接続領域との間のストップ体（stop body）に設けられ、このストップ体は、円周リムからのその距離によって、輸送および貯蔵用容器の外側筐体上で基部フレームを支持する支持リム（bearing rim）を規定する。
【００１０】
本発明による基部フレームは、前部壁の円周リムと接続領域との間の下部支持表面上に配置されたストップ体によって、上に積み重ねられた輸送および貯蔵用容器群の相対的な構成が規定されることを可能にする。このストップ体は、円周リムからのその距離によって、外側筐体上で下側輸送および貯蔵用容器を支持する支持リムを規定する。特に、角部脚上に配置されたストップ体は、上側輸送および貯蔵用容器を下側輸送および貯蔵用容器に対してほぼ中心が合うように位置合わせすることを可能にし、それにより規定された円周距離を、上側輸送および貯蔵用容器の脚フレームと、下側輸送および貯蔵用容器の外側筐体の上部リムとの間に作ることによって、積み重ねられたときの輸送および貯蔵用容器群の互いに対する望ましくない位置ズレを避け、よって積み重ねられた構成をより簡単に作ることを可能にすると共に、積み重ねられた輸送および貯蔵用容器群を互いから離す、スタック構成の分解も可能にし、それに対応する危険な状況を作らないようにする。
【００１１】
金属からできた角部脚本体については、下部支持表面のリムウェブ部の部分的な領域を開いて曲げることによって形成されるストップストラップとしてストップ体を形成することによって、ストップ体が角部脚の金属切断と一体的に形成され得るのが特に優位性がある。
【００１２】
ストップストラップによって支持リムから分離された接続リムによって接続領域が形成されるとき、ストップストラップは接続領域を規定するようにも同時に働く。
【００１３】
角部脚の両方の部分体が、下部支持表面上に配置されたストップ体を備えるとき、ストップ体は、前部壁の中心軸から所定の距離でそれぞれ配置され、位置付けの効果は、上側容器が下側容器上に置かれたときに、ただ１つの角部脚によっても達成され得る。
【００１４】
本発明による液体のための輸送および貯蔵用容器は、請求項５の特徴を備えてもよい。
【００１５】
本発明による輸送および貯蔵用容器は、請求項１によるパレット状基部フレーム上に配置されてもよい。
【図面の簡単な説明】
【００１６】
【図１】パレット状基部フレームが設けられた液体のための輸送および貯蔵用容器の透視図である。
【図２】図１の輸送および貯蔵用容器の基部フレームの角部領域の拡大図である。
【図３】角部脚の等角詳細図である。
【図４】図３の角部脚を等角図で下から詳細に示す図である。
【図５】積み重ねられた構成における角部脚を示す図である。
【発明を実施するための形態】
【００１７】
輸送および貯蔵用容器のためのパレット状基部フレームの好ましい実施形態が図面を参照して詳細に説明される。
【００１８】
図１は、液体のための輸送および貯蔵用容器１０を示す。輸送および貯蔵用容器１０は、ワンウェイ（one-way）またはマルチウェイ（multi-way）の容器として用いられ得る。この容器１０はプラスチックで作られた内側容器１１を備える。内側容器１１は、上部容器平面１４上に設けられた、蓋１２によって閉じられ得る取入栓１３と、下部容器平面１６の領域に設けられた、取出継ぎ手１７に接続するための排出栓１５とを備える。内側容器１１は、互いに交差する水平および鉛直の金属グリッドバー１９，２０からなる外側筐体１８内に交換可能に受け入れられる。この外側筐体１８は、パレット状基部フレーム２１上に内側容器１１と共に配置される。
【００１９】
基部フレーム２１は、内側容器１１を支持する平坦部２２と、脚フレーム２５上に取り付けられた角部脚２３および中央脚２４とを備える。脚フレーム２５には、平坦部２２と共に内側容器１１の外側筐体１８が取り付けられる。
【００２０】
図２および３を併せて見るとわかるように、角部脚２３は、脚フレーム２５のフレーム角部２７の角部半径に対応するように実質的に湾曲させられた前部壁２６を有し、その円周リム２８において前部壁２６は、脚フレーム２５の内側領域に向かって曲げられているリムウェブ２９になるよう変形される。このリムウェブは、下部リムウェブ部３０によって形成される下部支持表面と、上部リムウェブ部３１によって形成される上部支持表面とを備える。下部リムウェブ部３０は、脚フレーム２５への接続のために用いられる。上部リムウェブ部３１は、平坦部２２の円周リム３３が上部リムウェブ部３１（図３）と外側筐体１８の下部リム３２との間に受け入れられるように、外側筐体１８の下部リム３２への接続のために用いられる。
【００２１】
図４に特に示されるように、示された実施形態において角部脚２３は、本件では塑性加工によって金属で作られた、実質的に箱形状またはボウル形状の角部脚本体３５を備える。角部脚本体２６は、共通前部壁２６を介して互いに接続された２つの部分体（partial bodies）３６，３７からなる。部分体３６，３７は、横方向に、かつ示された本実施形態においては、前部壁２６の中心軸４２について対称的にそれぞれ形成され、連続的に互いに一体化されている。図４で明らかに示されるように、部分体３６，３７は、下部リムウェブ部３０および上部リムウェブ部３１に近接した前部壁２６の円周リムに沿った、横方向のリムウェブ部４３を備える。この横方向リムウェブ部は、リムウェブ変形領域４４において、上部リムウェブ部３１および下部リムウェブ部３０になるよう連続的に変化する。
【００２２】
特に図２および３に示されるように、前部壁２６は、補強用溝部４５，４６を備え、これら溝部４５，４６は、上部リムウェブ部３１および下部リムウェブ部３０の間を延び、溝平坦部４７を備える。この溝平坦部４７は、前部壁２６によって規定される前部平面に対して、接続リム４８として形成される接続領域に向かって傾斜がつけられている。図５では下部リムウェブ部３０が示される。本実施形態の場合、接続リム４８は、それぞれ２つのウェブ形状の溶接バンプ４９を備える。これら溶接バンプ４９は、溶接接続を製造するのに用いられる。特に図２に示されるように、溝平坦部４７の傾けられた配置によって、外側筐体１８の下部リム３２または平坦部２２および脚フレーム２５の間で傾きモーメントなしで直接的に力を伝達することが可能となる。
【００２３】
図２〜５に示されるように、角部脚２３の部分体３６，３７は、下部リムウェブ部３０上にストップストラップ５０，５１として形成されるストップ体と共にそれぞれ設けられる。それぞれのストップストラップ５０，５１は、中心軸４２から距離をおいて配置されることによって、ストップストラップ５０，５１は、フレーム角部の角部頂点Ｓの両側に互いから距離２ａだけ離れて配置され、本実施形態ではフレーム角部の頂点Ｓについて対称的に構成される。
【００２４】
積み重ねられた構成において角部脚２３の図５に示される配置は、すなわち上側輸送および貯蔵用容器１０の角部脚２３が下側輸送および貯蔵用容器１０の外側筐体１８の上側リム５３（図１参照）上に配置されている場合は、ストップストラップ５０，５１が下部リムウェブ部３０の支持リム５２を、溶接接続として脚フレーム２５と用いられる下部リムウェブ部３０の接続リム４８から分離する構成である。ストップストラップ５０，５１は、スタック構成における、下側輸送および貯蔵用容器１０の外側筐体１８の上側リム５３と、その上に配置された上側輸送および貯蔵用容器１０の脚フレーム２５との距離を規定するよう形成される。輸送および貯蔵用容器の全ての４つの角部脚におけるストップストラップ５０，５１の配置によって、上側輸送および貯蔵用容器１０の脚フレーム２５と、下側輸送および貯蔵用容器１０の上側リム５３との間には、円周方向に沿って、所定の自由距離が設けられる。
【００２５】
図１に示される基部フレームは、全ての４つのフレーム角部２７上に角部脚２３と共に設けられるので、角部脚の最小限の構成としては、それぞれの角部脚において１つのストップストラップがあれば、重ねられたスタック構成において輸送および貯蔵用容器群の所定の相対的位置付けを達成するのに十分である。
【００２６】
しかしそれぞれ２つのストップストラップ５０，５１を持つ角部脚２３の上述の設計であれば、スタック構成を形成するときに、輸送および貯蔵用容器の水平方向に向かった傾いたアラインメントのために、上側容器の角部脚が下側容器の上側リム５３上に同時には置かれない場合であっても、相対的なアラインメントが可能である。これは上側リム５３に対して接するときに、距離２ａだけ離れたストップストラップ５０，５１（図２）は、モーメントＭ（図５）を支持するモーメント支持を形成するからである。
【００２７】
図示された実施形態から異なっていても、形成されたストップストラップを持つ角部脚本体が例えば射出成形によって製造されるように、角部脚本体をプラスチックから形成することも可能である。
【符号の説明】
【００２８】
１８  外側筐体
２２  平坦部
２３  角部脚
２５  脚フレーム
２６  前部壁
２７  フレーム角部
２８  円周リム
３０  下部リムウェブ部
３２  下部リム
３３  円周リム
４５，４６  補強用溝部
【図１】
0005272093.tif 000002
【図２】
0005272093.tif 000003
【図３】
0005272093.tif 000004
【図４】
0005272093.tif 000005
【図５】
0005272093.tif 000006